(57)【要約】【課題】フォールディング軸に対応する部分とその以外の部分が均一な表示品質を有するフォールディング可能な表示装置を提供する。【解決手段】表示装置はフレキシブル表示モジュール及び前記フレキシブル表示モジュールの下部に配置される支持部材を含む。前記支持部材は第１支持部材及び第２支持部材を含む。前記第１支持部材及び前記第２支持部材の各々はリジッド（ｒｉｇｉｄ）な性質を有するベース支持部材及び前記ベース支持部材の外面に配置された光吸収部材を含む。【選択図】図１０Ａ
2020038372.tif 000002
【特許請求の範囲】
【請求項１】
第１表示領域及び前記第１表示領域に隣接する第２表示領域を有し、前記第１表示領域及び前記第２表示領域の間の境界線を基準にフォールディングされるフレキシブル表示モジュールと、
前記第１表示領域に重畳する第１支持部材及び前記第２表示領域に重畳する第２支持部材を含み、前記フレキシブル表示モジュールの下部に配置される支持部材と、を含み、
前記第１支持部材は、
リジッド（ｒｉｇｉｄ）な性質を有する第１ベース支持部材と、
前記第１ベース支持部材の外面に配置された第１光吸収部材と、を含み、
前記第２支持部材は、
リジッド（ｒｉｇｉｄ）な性質を有する第２ベース支持部材と、
前記第２ベース支持部材の外面に配置された第２光吸収部材と、を含む表示装置。
【請求項２】
前記第１光吸収部材及び前記第２光吸収部材の各々の色相は、黒色である請求項１に記載の表示装置。
【請求項３】
前記第１ベース支持部材及び前記第２ベース支持部材の各々は、金属を含む請求項２に記載の表示装置。
【請求項４】
前記第１光吸収部材は、前記第１ベース支持部材にコーティングされ、前記第２光吸収部材は、前記第２ベース支持部材にコーティングされる請求項３に記載の表示装置。
【請求項５】
前記フレキシブル表示モジュールの下部に配置される衝撃吸収部材と、
前記衝撃吸収部材の下部に配置される接着部材と、をさらに含み、
前記第１支持部材及び前記第２支持部材は、前記接着部材によって前記衝撃吸収部材に結合される請求項１に記載の表示装置。
【請求項６】
前記フレキシブル表示モジュールは、
各々が有機発光素子を含む複数の画素及び前記複数の画素にデータ信号を提供する駆動回路を含むフレキシブル表示パネルと、
前記フレキシブル表示パネル上に配置される入力感知回路と、を含む請求項１に記載の表示装置。
【請求項７】
前記駆動回路は、前記支持部材の下部に配置される請求項６に記載の表示装置。
【請求項８】
前記第１ベース支持部材は、
第１本体部と、
前記第１本体部から延長される第１突出部と、を含み、
前記第２ベース支持部材は、
第２本体部と、
前記第２本体部から延長され、前記第１突出部と重畳する第２突出部と、を含む請求項１に記載の表示装置。
【請求項９】
前記第１ベース支持部材及び前記第２ベース支持部材の各々は、
上部面と、
前記上部面に対向する下部面と、
前記上部面及び前記下部面を接続する側面と、を含み、
前記第１光吸収部材及び前記第２光吸収部材の各々は、対応する前記上部面の全体に配置される請求項１に記載の表示装置。
【請求項１０】
前記第１光吸収部材及び前記第２光吸収部材の各々は、対応する前記側面の中で少なくとも一部にさらに配置される請求項９に記載の表示装置。
【請求項１１】
前記第１光吸収部材及び前記第２光吸収部材の各々は、対応する前記側面及び対応する前記下部面の全体に配置される請求項９に記載の表示装置。
【請求項１２】
前記第１支持部材の下部に配置される第１セット部材及び前記第２支持部材の下部に配置される第２セット部材を含むセット部材をさらに含み、
前記第１セット部材は、
リジッド（ｒｉｇｉｄ）な性質を有する第１ベースセット部材と、
前記第１ベースセット部材の外面に配置された第３光吸収部材と、を含み、
前記第２セット部材は、
リジッド（ｒｉｇｉｄ）な性質を有する第２ベースセット部材と、
前記第２ベースセット部材の外面に配置された第４光吸収部材と、を含む請求項１に記載の表示装置。
【請求項１３】
前記フレキシブル表示モジュールは、各々が有機発光素子を含む複数の画素及び前記複数の画素にデータ信号を提供する駆動回路を含み、前記駆動回路は、前記セット部材及び前記支持部材の間に配置される請求項１２に記載の表示装置。
【請求項１４】
前記第３光吸収部材及び前記第４光吸収部材の各々の色相は、黒色であり、前記第１ベースセット部材及び前記第２ベースセット部材の各々は、金属を含む請求項１３に記載の表示装置。
【請求項１５】
フレキシブル表示パネル及び前記フレキシブル表示パネル上に配置された入力感知回路を含み、所定のベンディング軸を基準にフォールディングされるフレキシブル表示モジュールと、
前記フレキシブル表示モジュールの下部に配置される第１支持部材及び前記第１支持部材と隣接して配置される第２支持部材を含み、前記第１支持部材及び前記第２支持部材の間の境界線によって前記所定のベンディング軸が定義される支持部材と、を含み、
前記第１支持部材は、
金属を含む第１ベース支持部材と、
前記第１ベース支持部材の外面に配置され、黒色カラーを有する第１光吸収部材と、を含み、
前記第２支持部材は、
金属を含む第２ベース支持部材と、
前記第２ベース支持部材の外面に配置され、黒色カラーを有する第２光吸収部材と、を含む表示装置。
【請求項１６】
前記フレキシブル表示モジュールの下部に配置される衝撃吸収部材と、
前記衝撃吸収部材の下部に配置される接着部材と、をさらに含み、
前記第１支持部材及び前記第２支持部材は、前記接着部材によって前記衝撃吸収部材に結合される請求項１５に記載の表示装置。
【請求項１７】
前記フレキシブル表示パネルは、各々が有機発光素子を含む複数の画素及び前記複数の画素にデータ信号を提供する駆動回路を含み、前記駆動回路は、前記支持部材の下部に配置される請求項１６に記載の表示装置。
【請求項１８】
前記フレキシブル表示パネルは、各々が有機発光素子を含む複数の画素及び前記複数の画素にデータ信号を提供する駆動回路を含み、前記駆動回路は、前記支持部材の上部に配置される請求項１５に記載の表示装置。
【請求項１９】
前記第１ベース支持部材は、
第１本体部と、
前記第１本体部から延長される第１突出部と、を含み、
前記第２ベース支持部材は、
第２本体部と、
前記第２本体部から延長され、前記第１突出部と重畳する第２突出部と、を含む請求項１５に記載の表示装置。
【請求項２０】
前記第１ベース支持部材及び前記第２ベース支持部材の各々は、
上部面と、
前記上部面に対向する下部面と、
前記上部面及び前記下部面を接続する側面と、を含み、
前記第１光吸収部材及び前記第２光吸収部材の各々は、対応する前記上部面の中で少なくとも一部に配置される請求項１５に記載の表示装置。
【請求項２１】
前記第１光吸収部材及び前記第２光吸収部材の各々は、対応する前記側面の中で少なくとも一部にさらに配置される請求項２０に記載の表示装置。
【請求項２２】
前記第１光吸収部材及び前記第２光吸収部材の各々は、対応する前記側面及び対応する前記下部面の全体に配置される請求項２０に記載の表示装置。
【発明の詳細な説明】
【技術分野】
【０００１】
本発明はフォールディングすることができる表示装置に係り、具体的には全体的に均一な表示品質を提供する表示装置に係る。
【背景技術】
【０００２】
表示装置は表示画面に多様なイメージを表示して使用者に情報を提供する。一般的に表示装置は割当られた画面内で情報を表示する。最近、フォールディングが可能であるフレキシブル表示パネルを含むフレキシブル表示装置が開発されている。フレキシブル表示装置はリジッド表示装置と異なりに、折り畳むか、丸めるか、或いは曲げることができる。形状が多様に変更されることができるフレキシブル表示装置は既存の画面のサイズに関係なく、携帯することができるので、使用者の便宜性が向上される。
【０００３】
フォールディング可能なフレキシブル表示装置を具現する場合、フォールディング軸に対応する部分はフォールディング軸に対応しない他の部分と構造的特徴が異なるので、前記フォールディング軸に対応する部分に視認性不良が発生する問題点がある。
【先行技術文献】
【特許文献】
【０００４】
【特許文献１】米国特許第１００４３４２１号明細書
【特許文献２】米国特許第１０２３００６２号明細書
【発明の概要】
【発明が解決しようとする課題】
【０００５】
本発明の目的はフォールディング軸に対応する部分とそれ以外の部分が均一な表示品質を有するフォールディング可能な表示装置を提供することにある。
【課題を解決するための手段】
【０００６】
本発明の一実施形態に係る表示装置はフレキシブル表示モジュール及び支持部材を含んでもよい。前記フレキシブル表示モジュールは第１表示領域及び前記第１表示領域に隣接する第２表示領域を有し、前記第１表示領域及び前記第２表示領域の間の境界線を基準にフォールディングされてもよい。前記支持部材は前記第１表示領域に重畳する第１支持部材及び前記第２表示領域に重畳する第２支持部材を含み、前記フレキシブル表示モジュールの下部に配置されてもよい。
【０００７】
前記第１支持部材はリジッド（ｒｉｇｉｄ）な性質を有する第１ベース支持部材及び前記第１ベース支持部材の外面に配置された第１光吸収部材を含んでもよい。
【０００８】
前記第２支持部材はリジッド（ｒｉｇｉｄ）な性質を有する第２ベース支持部材及び前記第２ベース支持部材の外面に配置された第２光吸収部材を含んでもよい。
【０００９】
本発明の一実施形態で、前記第１光吸収部材及び前記第２光吸収部材の各々の色相は黒色であってもよい。
【００１０】
本発明の一実施形態で、前記第１ベース支持部材及び前記第２ベース支持部材の各々は金属を含んでもよい。
【００１１】
本発明の一実施形態で、前記第１光吸収部材は前記第１ベース支持部材にコーティングされ、前記第２光吸収部材は前記第２ベース支持部材にコーティングされてもよい。
【００１２】
本発明の一実施形態に係る表示装置は前記フレキシブル表示モジュールの下部に配置される衝撃吸収部材及び前記衝撃吸収部材の下部に配置される接着部材をさらに含むことができる。前記第１支持部材及び前記第２支持部材は前記接着部材によって前記衝撃吸収部材に結合されてもよい。
【００１３】
本発明の一実施形態で、前記フレキシブル表示モジュールは各々が有機発光素子を含む複数の画素及び前記複数の画素にデータ信号を提供する駆動回路を含むフレキシブル表示パネル及び前記フレキシブル表示パネル上に配置される入力感知回路を含んでもよい。
【００１４】
本発明の一実施形態で、前記駆動回路は前記支持部材の下部に配置されてもよい。
【００１５】
本発明の一実施形態で、前記第１ベース支持部材は第１本体部及び前記第１本体部から延長される第１突出部を含むことができる。前記第２ベース支持部材は第２本体部及び前記第２本体部から延長され、前記第１突出部と重畳する第２突出部を含んでもよい。
【００１６】
本発明の一実施形態で、前記第１ベース支持部材及び前記第２ベース支持部材の各々は上部面、前記上部面に対向する下部面、及び前記上部面及び前記下部面を接続する側面を含み、前記第１光吸収部材及び前記第２光吸収部材の各々は対応する前記上部面の全体に配置されてもよい。
【００１７】
本発明の一実施形態で、前記第１光吸収部材及び前記第２光吸収部材の各々は対応する前記側面の中で少なくとも一部にさらに配置されてもよい。
【００１８】
本発明の一実施形態で、前記第１光吸収部材及び前記第２光吸収部材の各々は対応する前記側面及び対応する前記下部面の全体に配置されてもよい。
【００１９】
本発明の一実施形態に係る表示装置は前記第１支持部材の下部に配置される第１セット部材及び前記第２支持部材の下部に配置される第２セット部材を含むセット部材をさらに含んでもよい。
【００２０】
前記第１セット部材はリジッド（ｒｉｇｉｄ）な性質を有する第１ベースセット部材及び前記第１ベースセット部材の外面に配置された第３光吸収部材を含むことができる。前記第２セット部材はリジッド（ｒｉｇｉｄ）な性質を有する第２ベースセット部材及び前記第２ベースセット部材の外面に配置された第４光吸収部材を含んでもよい。
【００２１】
本発明の一実施形態で、前記フレキシブル表示モジュールは各々が有機発光素子を含む複数の画素及び前記複数の画素にデータ信号を提供する駆動回路を含み、前記駆動回路は前記セット部材及び前記支持部材の間に配置されてもよい。
【００２２】
本発明の一実施形態で、前記第３光吸収部材及び前記第４光吸収部材の各々の色相は黒色であり、前記第１ベースセット部材及び前記第２ベースセット部材の各々は金属を含んでもよい。
【００２３】
本発明の一実施形態に係る表示装置はフレキシブル表示モジュール及び支持部材を含むことができる。前記フレキシブル表示モジュールはフレキシブル表示パネル及び前記フレキシブル表示パネル上に配置された入力感知回路を含み、所定のベンディング軸を基準にフォールディングされてもよい。前記支持部材は前記フレキシブル表示モジュールの下部に配置される第１支持部材及び前記第１支持部材と隣接して配置される第２支持部材を含み、前記第１支持部材及び前記第２支持部材の間の境界線によって前記所定のベンディング軸が定義されてもよい。
【００２４】
前記第１支持部材は金属を含む第１ベース支持部材及び前記第１ベース支持部材の外面に配置され黒色カラーを有する第１光吸収部材を含むことができる。前記第２支持部材は金属を含む第２ベース支持部材及び前記ベース支持部材の外面に配置され、黒色カラーを有する第２光吸収部材を含んでもよい。
【発明の効果】
【００２５】
本発明の一実施形態によれば、フォールディング軸を基準にフォールディング可能な表示装置で、フォールディング軸に対応する部分とその以外の部分が均一な表示品質を有するようにすることができる。
【図面の簡単な説明】
【００２６】
【図１】本発明の一実施形態に係る表示装置の斜視図である。
【図２Ａ】図１に図示された表示装置をフォールディングしたことを示した図面である。
【図２Ｂ】図１に図示された表示装置をフォールディングしたことを示した図面である。
【図２Ｃ】図１に図示された表示装置をフォールディングしたことを示した図面である。
【図２Ｄ】図１に図示された表示装置をフォールディングしたことを示した図面である。
【図２Ｅ】図１に図示された表示装置をフォールディングしたことを示した図面である。
【図３】本発明の一実施形態による表示装置の断面図である。
【図４Ａ】図３に図示された表示モジュールの断面図である。
【図４Ｂ】図３に図示された表示モジュールの断面図である。
【図５】本発明の一実施形態に係る表示パネルのブロック図を示した図面である。
【図６】本発明の一実施形態に係る画素の等価回路図を示した図面である。
【図７】図６の画素に印加される発光制御信号及びスキャン信号を例示的に示した図面である。
【図８】本発明の一実施形態に係る画素一部分の断面を示した図面である。
【図９Ａ】図１のＩ−Ｉ’に沿って切断した断面の一部を示した図面である。
【図９Ｂ】図２ＡのＩＩ−ＩＩ’に沿って切断した断面の一部を示した図面である。
【図１０Ａ】本発明の一実施形態に係る支持部材を例示的に示した図面である。
【図１０Ｂ】本発明の一実施形態に係る支持部材を例示的に示した図面である。
【図１０Ｃ】本発明の一実施形態に係る支持部材を例示的に示した図面である。
【図１１Ａ】図９ＡのＡＡ部分の変形実施形態を例示的に示した図面である。
【図１１Ｂ】図９ＡのＡＡ部分の変形実施形態を例示的に示した図面である。
【図１１Ｃ】図９ＡのＡＡ部分の変形実施形態を例示的に示した図面である。
【図１２】図１のＩ−Ｉ’に沿って切断した断面の一部を示した図面である。
【図１３Ａ】本発明の一実施形態に係るセット部材を例示的に示した図面である。
【図１３Ｂ】本発明の一実施形態に係るセット部材を例示的に示した図面である。
【図１３Ｃ】本発明の一実施形態に係るセット部材を例示的に示した図面である。
【図１４Ａ】図１２のＢＢ部分の変形実施形態を例示的に示した図面である。
【図１４Ｂ】図１２のＢＢ部分の変形実施形態を例示的に示した図面である。
【図１４Ｃ】図１２のＢＢ部分の変形実施形態を例示的に示した図面である。
【図１５Ａ】本発明の一実施形態に係る支持部材を例示的に示した図面である。
【図１５Ｂ】本発明の一実施形態に係る支持部材を例示的に示した図面である。
【図１５Ｃ】本発明の一実施形態に係る支持部材を例示的に示した図面である。
【発明を実施するための形態】
【００２７】
以下、図面を参照して本発明の実施形態を説明する。
【００２８】
図面において、構成要素の厚さ、比率、及び寸法は技術的内容の効果的な説明のために誇張されたものである。“及び／又は”は関連する構成が定義できる１つ以上の組合を全て含む。
【００２９】
“含む”等の用語は明細書上に記載された特徴、数字、段階、動作、構成要素、部品又はこれらを組合したことが存在することを表現しようするものであり、１つ又はそれ以上の他の特徴や数字、段階、動作、構成要素、部分品、又はこれらを組合したものの存在又は付加可能性を予め排除しないものとして理解されるべきである。
【００３０】
図１は本発明の一実施形態に係る表示装置ＤＤの斜視図である。図１に図示されたようにイメージＩＭが表示される表示面ＩＳは第１方向軸ＤＲ１と第２方向軸ＤＲ２が定義する面と平行である。表示面ＩＳの法線方向、即ち表示装置ＤＤの厚さ方向は第３方向ＤＲ３が指示する。各部材の前面（又は上面）と背面（又は下面）は第３方向軸ＤＲ３によって区分される。しかし、第１乃至第３方向軸ＤＲ１、ＤＲ２、ＤＲ３が指示する方向は相対的な概念として異なる方向に変換されることができる。以下、第１乃至第３方向は第１乃至第３方向軸ＤＲ１、ＤＲ２、ＤＲ３が指示する方向に同一な図面符号を参照する。
【００３１】
本発明の一実施形態に係る表示装置ＤＤはフォルダブル表示装置である。本発明の一実施形態に係る表示装置ＤＤはテレビジョン、モニター等のような大型電子装置を始めとして、タブレット、自動車ナビゲーション、ゲーム機、スマートウォッチ等のような中小型電子装置等に使用されることができる。
【００３２】
図１に図示されたように、表示装置ＤＤの表示面ＩＳは複数の領域を含む。表示装置ＤＤはイメージＩＭが表示される表示領域ＤＤ−ＤＡ及び表示領域ＤＤ−ＤＡに隣接する非表示領域ＤＤ−ＮＤＡを含む。非表示領域ＤＤ−ＮＤＡはイメージが表示されない領域である。図１にはイメージＩＭの一例としてアプリケーションアイコン及び時計窓を図示した。表示領域ＤＤ−ＤＡは方形状である。非表示領域ＤＤ−ＮＤＡは表示領域ＤＤ−ＤＡを囲む。但し、図１に図示された構成は一例であって、この構成に限定されない。表示領域ＤＤ−ＤＡの形状と非表示領域ＤＤ−ＮＤＡの形状とは相対的にデザインされてもよい。
【００３３】
表示装置ＤＤはハウジングＨＳを含む。ハウジングＨＳは表示装置ＤＤの外側に配置され、表示装置ＤＤの内部に部品を収容する。
【００３４】
図２Ａ乃至図２Ｅは各々図１に図示された表示装置ＤＤをフォールディングしたことを例示的に示した図面である。
【００３５】
図２Ａを参照すれば、本発明の一実施形態に係る表示装置ＤＤはベンディング軸ＢＸを基準にインフォールディングされる。図２Ｂを参照すれば、本発明の一実施形態に係る表示装置ＤＤはベンディング軸ＢＸを基準にアウトフォールディングされる。図２Ｃを参照すれば、本発明の一実施形態に係る表示装置ＤＤは端部から内側にフォールディングされる。図２Ｄを参照すれば、本発明の一実施形態に係る表示装置ＤＤは端部から外側にフォールディングされる。図２Ｅを参照すれば、本発明の一実施形態に係る表示装置ＤＤは対角線方向にフォールディングされる。図２Ａ乃至図２Ｅは表示装置ＤＤのフォールディング方法を例示的に示したものであり、この構成に限定されない。
【００３６】
図３は本発明の一実施形態に係る表示装置ＤＤの断面図である。図４Ａ及び図４Ｂは図３に図示された表示モジュールＤＭ、ＤＭ−１の断面図である。図３は第２方向軸ＤＲ２と第３方向軸ＤＲ３が定義する断面を図示した。
【００３７】
表示装置ＤＤは表示モジュールＤＭ、複数の機能層ＦＣ１〜ＦＣ３、ベースフィルムＢＦ、衝撃吸収部材ＣＳＨ、支持部材ＰＴ、及び複数の接着部材ＡＤ１〜ＡＤ６を含む。
【００３８】
本発明の一実施形態で、接着部材ＡＤ１〜ＡＤ６の各々は減圧接着剤（Ｐｒｅｓｓｕｒｅ  ｓｅｎｓｉｔｉｖｅ  ａｄｈｅｓｉｖｅ、ＰＳＡ）である。
【００３９】
機能層ＦＣ１〜ＦＣ３は表示モジュールＤＭの上部に配置される。
【００４０】
第１機能層ＦＣ１は第１接着部材ＡＤ１によって表示モジュールＤＭと接着される。第２機能層ＦＣ２は第２接着部材ＡＤ２によって第１機能層ＦＣ１と接着される。第３機能層ＦＣ３は第３接着部材ＡＤ３によって第２機能層ＦＣ２と接着される。
【００４１】
機能層ＦＣ１〜ＦＣ３の各々は高分子物質を含む。機能層ＦＣ１〜ＦＣ３の各々はフィルム状の形態である。機能層ＦＣ１〜ＦＣ３の各々のモジュラスは２Ｇｐａ以上１００Ｇｐａ以下である。
【００４２】
機能層ＦＣ１〜ＦＣ３の各々の厚さは３５μｍ以上６０μｍ以下である。機能層ＦＣ１〜ＦＣ３の各々の厚さが３５μｍを下回ると、本来目的とした機能の遂行能力が低下され、６０μｍを超えると、表示装置ＤＤの柔軟性が減少することができる。本発明の一実施形態で、第１機能層ＦＣ１は入射される光を偏光させる偏光機能層である。第２機能層ＦＣ２は外部から印加される衝撃を吸収する衝撃吸収機能層である。第３機能層ＦＣ３は表示装置ＤＤの外面を構成するウインドー機能層である。本発明の他の実施形態で、第１乃至第３機能層ＦＣ１〜ＦＣ３の中で一部が省略されることができる。
【００４３】
ベースフィルムＢＦ、衝撃吸収部材ＣＳＨ、及び支持部材ＰＴは表示モジュールＤＭの下部に配置される。
【００４４】
ベースフィルムＢＦは第４接着部材ＡＤ４によって表示モジュールＤＭと接着される。ベースフィルムＢＦは高分子物質を含む。
【００４５】
衝撃吸収部材ＣＳＨは第５接着部材ＡＤ５によってベースフィルムＢＦに接着される。衝撃吸収部材ＣＳＨは高分子物質を含む。衝撃吸収部材ＣＳＨは外部から印加される衝撃を吸収するための層である。
【００４６】
支持部材ＰＴは第６接着部材ＡＤ６によって衝撃吸収部材ＣＳＨに接着される。支持部材ＰＴは表示モジュールＤＭを支持する。支持部材ＰＴは表示モジュールＤＭを折り畳むか、或いは曲げるためのヒンジ（図示は省略）を含むことができる。支持部材ＰＴはリジッド（ｒｉｇｉｄ）な性質を有する。
【００４７】
図４Ａを参照すれば、表示モジュールＤＭは表示パネルＤＰ及び入力感知回路ＩＳＣを含む。入力感知回路ＩＳＣは外部から印加されるタッチ及び／又は圧力を感知する。
【００４８】
入力感知回路ＩＳＣは表示パネルＤＰの薄膜封止層（図示は省略）上に直接的に配置される。ここで、直接的に配置とは別の接着部材無しで入力感知回路ＩＳＣが表示パネルＤＰ上に配置されることを意味する。
【００４９】
図４Ｂを参照すれば、表示モジュールＤＭ−１は表示パネルＤＰ、入力感知回路ＩＳＣ、及び第７接着部材ＡＤ７を含む。表示パネルＤＰと入力感知回路ＩＳＣは第７接着部材ＡＤ７によって接着される。
【００５０】
図５は本発明の一実施形態に係る表示パネルＤＰのブロック図である。
【００５１】
表示パネルＤＰは平面上で表示領域ＤＰ−ＤＡと非表示領域ＤＰ−ＮＤＡとを含む。本実施形態で非表示領域ＤＰ−ＮＤＡは表示領域ＤＰ−ＤＡの枠に沿って定義される。表示パネルＤＰの表示領域ＤＰ−ＤＡ及び非表示領域ＤＰ−ＮＤＡは図１に図示された表示装置ＤＤの表示領域ＤＤ−ＤＡ及び非表示領域ＤＤ−ＮＤＡに各々対応される。
【００５２】
表示パネルＤＰは走査駆動部１００、データ駆動部２００、複数のスキャンラインＳＬ、複数の発光制御ラインＥＣＬ、複数のデータラインＤＬ、複数の電源ラインＰＬ、及び複数の画素ＰＸ（以下、画素）を含む。画素ＰＸは表示領域ＤＰ−ＤＡに配置される。画素ＰＸの各々は有機発光ダイオードＯＬＥＤ（図６参照）とそれに接続された画素回路ＣＣ（図６参照）を含む。
【００５３】
走査駆動部１００はスキャン駆動部及び発光制御駆動部を含む。
【００５４】
スキャン駆動部はスキャン信号を生成し、生成されたスキャン信号をスキャンラインＳＬに順次的に出力する。発光制御駆動部は発光制御信号を生成し、生成された発光制御信号を発光制御ラインＥＣＬに出力する。
【００５５】
本発明の他の実施形態で、走査駆動部１００内でスキャン駆動部及び発光制御駆動部が区分されなく、１つの回路に構成されることができる。
【００５６】
走査駆動部１００は画素ＰＸの駆動回路と同一な工程、例えばＬＴＰＳ（Ｌｏｗ  Ｔｅｍｐｅｒａｔｕｒｅ  Ｐｏｌｙｃｒｙｓｔａｌｉｎｅ  Ｓｉｌｉｃｏｎ）工程又はＬＴＰＯ（Ｌｏｗ  Ｔｅｍｐｅｒａｔｕｒｅ  Ｐｏｌｙｃｒｙｓｔａｌｌｉｎｅ  Ｏｘｉｄｅ）工程を通じて形成された複数の薄膜トランジスタを含む。
【００５７】
データ駆動部２００はデータ信号をデータラインＤＬに出力する。データ信号は映像データの階調値に対応するアナログ電圧である。
【００５８】
本発明の一実施形態で、データ駆動部２００は印刷回路基板ＦＰＣＢに実装され、印刷回路基板ＦＰＣＢがデータラインＤＬの一端に配置されたパッドと接続されることができる。但し、ここで示された構成は一例であって、この構成に限定されない。データ駆動部２００は表示パネルＤＰに直接的に実装されることができる。
【００５９】
スキャンラインＳＬは第２方向ＤＲ２に延長され、第２方向ＤＲ２に交差する第１方向ＤＲ１に配列される。本発明の一実施形態で、第２方向ＤＲ２と第１方向ＤＲ１は直交するが、ここで示された構成は一例であって、この構成に限定されない。
【００６０】
発光制御ラインＥＣＬは第２方向ＤＲ２に延長され、第１方向ＤＲ１に配列される。即ち、発光制御ラインＥＣＬの各々はスキャンラインＳＬの中で対応するスキャンラインに平行に配列される。
【００６１】
データラインＤＬは第１方向ＤＲ１に延長され、第１方向ＤＲ１に交差する第２方向ＤＲ２に配列される。データラインＤＬはデータ信号を対応する画素ＰＸに提供する。
【００６２】
電源ラインＰＬは第１方向ＤＲ１に延長され、第２方向ＤＲ２に配列される。電源ラインＰＬは第１電源ＥＬＶＤＤを対応する画素ＰＸに提供する。
【００６３】
複数の画素ＰＸの各々はスキャンラインＳＬの中で対応するスキャンライン、発光制御ラインＥＣＬの中で対応する発光制御ライン、データラインＤＬの中で対応するデータライン、及び電源ラインＰＬの中で対応する電源ラインに接続される。
【００６４】
表示パネルＤＰの非表示領域ＤＰ−ＮＤＡはベンディング領域ＢＡを含む。表示パネルＤＰがベンディング領域ＢＡを基準にベンディングされる場合、第１方向ＤＲ１及び第２方向ＤＲ２によって定義される平面上で、非表示領域ＤＰ−ＮＤＡの面積が小さくなるので、ベゼルが薄い表示装置ＤＤを提供することができる。即ち、図１で非表示領域ＤＤ−ＮＤＡの面積が小さい表示装置ＤＤを提供することができる。
【００６５】
図６は本発明の一実施形態に係る画素ＰＸの等価回路図を示した図面である。図７は図６の画素ＰＸに印加される発光制御信号Ｅｉ、スキャン信号Ｓｉ−１、Ｓｉ、Ｓｉ＋１を例示的に示した図面である。図６にはｉ番目のスキャンラインＳＬｉ及びｉ番目の発光制御ラインＥＣＬｉに接続された画素ＰＸを例示的に図示した。
【００６６】
画素ＰＸは有機発光素子ＯＬＥＤ及び画素回路ＣＣを含む。画素回路ＣＣは複数のトランジスタＴ１〜Ｔ７及びキャパシターＣＰを含む。画素回路ＣＣはデータ信号に対応して有機発光素子ＯＬＥＤに流れる電流量を制御する。
【００６７】
有機発光素子ＯＬＥＤは画素回路ＣＣから提供される電流量に対応して所定の輝度に発光する。このために、第１電源ＥＬＶＤＤのレベルは第２電源ＥＬＶＳＳのレベルより高く設定される。
【００６８】
複数のトランジスタＴ１〜Ｔ７は各々入力電極（又は、ソース電極）、出力電極（又は、ドレーン電極）及び制御電極（又は、ゲート電極）を含む。本明細書内で便宜上、入力電極及び出力電極の中でいずれか１つは第１電極と称され、他の１つは第２電極と称されることができる。
【００６９】
第１トランジスタＴ１の第１電極は第５トランジスタＴ５を経由して第１電源ＥＬＶＤＤに接続され、第２電極は第６トランジスタＴ６を経由して有機発光素子ＯＬＥＤのアノード電極に接続される。第１トランジスタＴ１は本明細書内でドライビングトランジスタと称されることができる。
【００７０】
第１トランジスタＴ１は制御電極に印加される電圧に対応して有機発光素子ＯＬＥＤに流れる電流量を制御する。
【００７１】
第２トランジスタＴ２はデータラインＤＬと第１トランジスタＴ１の第１電極との間に接続される。そして、第２トランジスタＴ２の制御電極はｉ番目のスキャンラインＳＬｉに接続される。第２トランジスタＴ２はｉ番目のスキャンラインＳＬｉにｉ番目のスキャン信号Ｓｉが提供される時、ターンオンされてデータラインＤＬと第１トランジスタＴ１の第１電極を電気的に接続させる。
【００７２】
第３トランジスタＴ３は第１トランジスタＴ１の第２電極と制御電極との間に接続される。第３トランジスタＴ３の制御電極はｉ番目のスキャンラインＳＬｉに接続される。第３トランジスタＴ３はｉ番目のスキャンラインＳＬｉにｉ番目のスキャン信号Ｓｉが提供される時、ターンオンされて第１トランジスタＴ１の第２電極と制御電極を電気的に接続させる。したがって、第３トランジスタＴ３がターンオンされる時、第１トランジスタＴ１はダイオード形態に接続される。
【００７３】
第４トランジスタＴ４はノードＮＤと初期化電源生成部（図示は省略）との間に接続される。そして、第４トランジスタＴ４の制御電極はｉ−１番目のスキャンラインＳＬｉ−１に接続される。第４トランジスタＴ４はｉ−１番目のスキャンラインＳＬｉ−１にｉ−１番目のスキャン信号Ｓｉ−１が提供される時、ターンオンされてノードＮＤに初期化電圧Ｖｉｎｔを提供する。
【００７４】
第５トランジスタＴ５は電源ラインＰＬと第１トランジスタＴ１の第１電極との間に接続される。第５トランジスタＴ５の制御電極はｉ番目の発光制御ラインＥＣＬｉに接続される。
【００７５】
第６トランジスタＴ６は第１トランジスタＴ１の第２電極と有機発光素子ＯＬＥＤのアノード電極との間に接続される。そして、第６トランジスタＴ６の制御電極はｉ番目の発光制御ラインＥＣＬｉに接続される。
【００７６】
第７トランジスタＴ７は初期化電源生成部（図示は省略）と有機発光素子ＯＬＥＤのアノード電極との間に接続される。そして、第７トランジスタＴ７の制御電極はｉ＋１番目のスキャンラインＳＬｉ＋１に接続される。このような第７トランジスタＴ７はｉ＋１番目のスキャンラインＳＬｉ＋１にｉ＋１番目のスキャン信号Ｓｉ＋１が提供される時、ターンオンされて初期化電圧Ｖｉｎｔを有機発光素子ＯＬＥＤのアノード電極に提供する。
【００７７】
第７トランジスタＴ７は画素ＰＸのブラック表現能力を向上させることができる。具体的に、第７トランジスタＴ７がターンオンされると、有機発光素子ＯＬＥＤの寄生キャパシター（図示は省略）が放電される。その結果、ブラック輝度を具現する時に、第１トランジスタＴ１からの漏洩電流によって有機発光素子ＯＬＥＤが発光しなくなるため、ブラック表現能力が向上されることができる。
【００７８】
追加的に、図６では第７トランジスタＴ７の制御電極がｉ＋１番目のスキャンラインＳＬｉ＋１に接続されることが図示されたが、図６で図示された構成は一例であって、この構成に限定されない。本発明の他の実施形態で、第７トランジスタＴ７の制御電極はｉ番目のスキャンラインＳＬｉ又はｉ−１番目のスキャンラインＳＬｉ−１に接続されることができる。
【００７９】
図６ではＰＭＯＳを基準に図示したが、図６で図示された構成は一例であって、この構成に限定されない。本発明の他の実施形態で画素ＰＸはＮＭＯＳで構成されることができる。本発明のその他の実施形態で画素ＰＸはＮＭＯＳとＰＭＯＳの組合によって構成されることができる。
【００８０】
キャパシターＣＰは電源ラインＰＬとノードＮＤとの間に配置される。キャパシターＣＰはデータ信号に対応される電圧を格納する。キャパシターＣＰに格納された電圧に応じて第５トランジスタＴ５及び第６トランジスタＴ６がターンオンされる時、第１トランジスタＴ１に流れる電流量が決定されることができる。
【００８１】
本発明で画素ＰＸの構造は図６に図示された構造に限定されない。本発明の他の実施形態で画素ＰＸは有機発光素子ＯＬＥＤを発光させるための多様な形態に具現されることができる。
【００８２】
図７を参照すれば、発光制御信号ＥｉはハイレベルＥ−ＨＩＧＨ又はローレベルＥ−ＬＯＷを有することができる。スキャン信号ＳＬｉ−１、ＳＬｉ、ＳＬｉ＋１は各々ハイレベルＳ−ＨＩＧＨ又はローレベルＳ−ＬＯＷを有することができる。
【００８３】
発光制御信号ＥｉがハイレベルＥ−ＨＩＧＨを有する時、第５トランジスタＴ５及び第６トランジスタＴ６がターンオフされる。第５トランジスタＴ５がターンオフされると、電源ラインＰＬと第１トランジスタＴ１の第１電極が電気的に遮断される。第６トランジスタＴ６がターンオフされると、第１トランジスタＴ１の第２電極と有機発光素子ＯＬＥＤのアノード電極が電気的に遮断される。したがって、ｉ番目の発光制御ラインＥＣＬｉにハイレベルＥ−ＨＩＧＨを有する発光制御信号Ｅｉが提供される期間の間に有機発光素子ＯＬＥＤは発光しない。
【００８４】
以後、ｉ−１番目のスキャンラインＳＬｉ−１に提供されるｉ−１番目のスキャン信号ＳｉがローレベルＳ−ＬＯＷを有すると、第４トランジスタＴ４がターンオンされる。第４トランジスタＴ４がターンオンされると、初期化電圧ＶｉｎｔがノードＮＤに提供される。
【００８５】
ｉ番目のスキャンラインＳＬｉに提供されるｉ番目のスキャン信号ＳｉがローレベルＳ−ＬＯＷを有すると、第２トランジスタＴ２及び第３トランジスタＴ３がターンオンされる。
【００８６】
第２トランジスタＴ２がターンオンされると、データ信号が第１トランジスタＴ１の第１電極に提供される。この時、ノードＮＤが初期化電圧Ｖｉｎｔに初期化されたため、第１トランジスタＴ１がターンオンされる。第１トランジスタＴ１がターンオンされると、データ信号に対応される電圧がノードＮＤに提供される。この時、キャパシターＣＰはデータ信号に対応される電圧を格納する。
【００８７】
ｉ＋１番目のスキャンラインＳＬｉ＋１に提供されるｉ＋１番目のスキャン信号Ｓｉ＋１がローレベルＳ−ＬＯＷを有すると、第７トランジスタＴ７がターンオンされる。
【００８８】
第７トランジスタＴ７がターンオンされると、初期化電圧Ｖｉｎｔが有機発光素子ＯＬＥＤのアノード電極に提供されて有機発光素子ＯＬＥＤの寄生キャパシターが放電される。
【００８９】
発光制御ラインＥＣＬｉに提供される発光制御信号ＥｉがローレベルＥ−ＬＯＷを有すると、第５トランジスタＴ５及び第６トランジスタＴ６がターンオンされる。第５トランジスタＴ５がターンオンされると、第１電源ＥＬＶＤＤが第１トランジスタＴ１の第１電極に提供される。第６トランジスタＴ６がターンオンされると、第１トランジスタＴ１の第２電極と有機発光素子ＯＬＥＤのアノード電極が電気的に接続される。その結果、有機発光素子ＯＬＥＤは受信する電流量に対応して所定輝度の光を生成する。
【００９０】
図８は本発明の一実施形態に係る画素ＰＸ（図６参照）の一部分の断面を示した図面である。図８では第１トランジスタＴ１及び第２トランジスタＴ２を例示的に図示したが、第１トランジスタＴ１及び第２トランジスタＴ２の構造はこの構造に限定されない。図８では第１トランジスタＴ１の第２電極ＥＤ２が画素ＰＸのアノード電極ＡＥに直接コンタクトすることが図示されているが、これは断面上の形状の理解の促進のため、その概略が図示されており、実際には図６に図示されたように第１トランジスタＴ１は第６トランジスタＴ６を経由して画素ＰＸのアノード電極ＡＥと接続されることができる。但し、図８に図示された構造は一例であって、この構造に限定されない。本発明の他の実施形態で第１トランジスタＴ１の第２電極ＥＤ２は画素ＰＸのアノード電極ＡＥと直接コンタクトすることができる。
【００９１】
表示パネルＤＰ（図８参照）はベース層ＢＬ、バッファ層ＢＦＬ、ゲート絶縁層ＧＩ１、ＧＩ２、層間絶縁層ＩＬＤ、回路絶縁層ＶＩＡ、及び画素定義膜ＰＤＬを含む。
【００９２】
ベース層ＢＬの一面上にバッファ層ＢＦＬが配置される。
【００９３】
バッファ層ＢＦＬは製造工程中において、ベース層ＢＬに存在する不純物が画素ＰＸに流れ込まれることを防止する。特に、不純物が画素ＰＸを構成するトランジスタＴ１、Ｔ２のアクティブ部ＡＣＬに拡散されることを防止する。不純物は外部から流れ込まれるか、或いはベース層ＢＬが熱分解されることによって発生する可能性がある。不純物はベース層ＢＬから排出されたガス又はナトリウムである。また、バッファ層ＢＦＬは外部から画素ＰＸに流れ込まれる水分を遮断する。
【００９４】
バッファ層ＢＦＬ上にトランジスタＴ１、Ｔ２の各々を構成するアクティブ部ＡＣＬが配置される。アクティブ部ＡＣＬの各々はポリシリコン又はアモルファスシリコンを含むことができる。その他にアクティブ部ＡＣＬは金属酸化物半導体を含むことができる。
【００９５】
アクティブ部ＡＣＬは電子又は正孔が移動することができる通路役割をするチャンネル領域、チャンネル領域を介して配置された第１イオンドーピング領域、及び第２イオンドーピング領域を含む。
【００９６】
バッファ層ＢＦＬ上にアクティブ部ＡＣＬをカバーする第１ゲート絶縁層ＧＩ１が配置される。第１ゲート絶縁層ＧＩ１は有機膜及び／又は無機膜を含む。第１ゲート絶縁層ＧＩ１は複数の無機薄膜を含むことができる。複数の無機薄膜はシリコンナイトライド層及びシリコン酸化物層を含む。
【００９７】
第１ゲート絶縁層ＧＩ１上にトランジスタＴ１、Ｔ２の各々を構成する制御電極ＧＥ１が配置される。第１トランジスタＴ１の制御電極ＧＥ１はキャパシターＣＰを構成する２つの電極の中でいずれか１つである。第１ゲート絶縁層ＧＩ１上にスキャンラインＳＬ（図５参照）及び発光制御ラインＥＣＬ（図５参照）の中で少なくとも一部分が配置されることができる。
【００９８】
第１ゲート絶縁層ＧＩ１上に制御電極ＧＥ１をカバーする第２ゲート絶縁層ＧＩ２が配置される。第２ゲート絶縁層ＧＩ２は有機膜及び／又は無機膜を含む。第２ゲート絶縁層ＧＩ２は複数の無機薄膜を含むことができる。複数の無機薄膜はシリコンナイトライド層及びシリコン酸化物層を含む。
【００９９】
第２ゲート絶縁層ＧＩ２上にキャパシターＣＰ（図６参照）を構成する２つの電極の中で他の１つの電極ＧＥ２が配置されることができる。即ち、第１ゲート絶縁層ＧＩ１上に配置された電極ＧＥ１と第２ゲート絶縁層ＧＩ２上に配置された電極ＧＥ２が重畳して図６に図示されたキャパシターＣＰを形成することができる。但し、図６及び図８に図示されたキャパシターＣＰを構成する電極が配置される構造は一例であって、この構造に限定されない。
【０１００】
第２ゲート絶縁層ＧＩ２上に電極ＧＥ２をカバーする層間絶縁層ＩＬＤが配置される。層間絶縁層ＩＬＤは有機膜及び／又は無機膜を含む。層間絶縁層ＩＬＤは複数の無機薄膜を含むことができる。前記複数の無機薄膜はシリコンナイトライド層及びシリコン酸化物層を含むことができる。
【０１０１】
層間絶縁層ＩＬＤ上にデータラインＤＬ（図５参照）及び電源ラインＰＬ（図５参照）の少なくとも一部分が配置されることができる。層間絶縁層ＩＬＤ上にトランジスタＴ１、Ｔ２の各々の第１電極ＥＤ１及び第２電極ＥＤ２が配置されることができる。
【０１０２】
第１電極ＥＤ１及び第２電極ＥＤ２は各々ゲート絶縁層ＧＩ１、ＧＩ２及び層間絶縁層ＩＬＤを貫通する貫通ホールを通じて対応するアクティブ部ＡＣＬと接続される。
【０１０３】
層間絶縁層ＩＬＤ上に第１電極ＥＤ１及び第２電極ＥＤ２をカバーする回路絶縁層ＶＩＡが配置される。回路絶縁層ＶＩＡは有機膜及び／又は無機膜を含む。回路絶縁層ＶＩＡは平坦面を提供する。
【０１０４】
回路絶縁層ＶＩＡ上に画素定義膜ＰＤＬ及び有機発光素子ＯＬＥＤ（図６参照）が配置される。図８では便宜上、有機発光素子ＯＬＥＤのアノード電極ＡＥのみを図示した。図示は省略したが、有機発光素子ＯＬＥＤはアノード電極ＡＥの他に正孔輸送領域、発光層、電子輸送領域、及びカソードをさらに含むことができる。図示は省略したが、表示パネルＤＰは有機発光素子ＯＬＥＤを密封する薄膜封止層を含むことができる。
【０１０５】
図９Ａは図１のＩ−Ｉ’に沿って切断した断面の一部を示した図面である。図９Ｂは図２ＡのＩＩ−ＩＩ’に沿って切断した断面の一部を示した図面である。即ち、図９Ｂは図９Ａの表示装置ＤＤがフォールディングされた形態を例示的に示した図面である。
【０１０６】
表示領域ＤＡはベンディング軸ＢＸ（図２Ａ参照）を基準に区分される第１表示領域ＤＡ１及び第２表示領域ＤＡ２を含む。
【０１０７】
支持部材ＰＴは第１支持部材ＰＴ１及び第２支持部材ＰＴ２を含む。第１支持部材ＰＴ１は第３方向ＤＲ３上で第１表示領域ＤＡ１に重畳し、第２支持部材ＰＴ２は第３方向ＤＲ３上で第２表示領域ＤＡ２に重畳する。
【０１０８】
第１支持部材ＰＴ１は第２支持部材ＰＴ２と所定の距離（以下、離隔距離、ＤＴ）、離隔されて配置される。
【０１０９】
本発明の一実施形態で、ベンディング軸ＢＸ（図２Ａ参照）は第１支持部材ＰＴ１と第２支持部材ＰＴ２との間の境界線によって定義される。本発明の一実施形態で、ベンディング軸ＢＸ（図２Ａ参照）は第１支持部材ＰＴ１と第２支持部材ＰＴ２との間の境界線と第３方向ＤＲ３上で重畳する軸として定義される。
【０１１０】
図９Ｂを参照すれば、第１支持部材ＰＴ１の中でベンディング軸ＢＸ（図２Ａ参照）に隣接する一部分及び第２支持部材ＰＴ２の中でベンディング軸ＢＸ（図２Ａ参照）に隣接する一部分は第６接着部材ＡＤ６に接着されない。したがって、表示装置ＤＤがベンディング軸ＢＸ（図２Ａ参照）を基準にフォールディングされる時、第１支持部材ＰＴ１及び第２支持部材ＰＴ２の各々が有するリジッド（ｒｉｇｉｄ）な性質のために発生する問題点（例えば、クラック、膜剥がれなど）を解決することができる。
【０１１１】
図１０Ａ、図１０Ｂ、及び図１０Ｃは各々本発明の一実施形態に係る支持部材ＰＴ、ＰＴ−１、ＰＴ１−２を例示的に示した図面である。
【０１１２】
図１０Ａを参照すれば、第１支持部材ＰＴ１は第１ベース支持部材ＢＰ１及び第１ベース支持部材ＢＰ１の外面に配置される第１光吸収部材ＢＣ１を含む。第２支持部材ＰＴ２は第２ベース支持部材ＢＰ２及び第２ベース支持部材ＢＰ２の外面に配置される第２光吸収部材ＢＣ２を含む。
【０１１３】
第１ベース支持部材ＢＰ１及び第２ベース支持部材ＢＰ２の各々は金属を含む。前記金属はマグネシウム（Ｍｇ）を含むことができる。第１ベース支持部材ＢＰ１及び第２ベース支持部材ＢＰ２の各々はリジッド（ｒｉｇｉｄ）な性質を有する。
【０１１４】
第１ベース支持部材ＢＰ１及び第２ベース支持部材ＢＰ２の各々は上部面Ｓ−Ｔ、上部面Ｓ−Ｔに対向する下部面Ｓ−Ｂ、及び上部面Ｓ−Ｔと下部面Ｓ−Ｂを接続する側面Ｓ−Ｓを含む。
【０１１５】
第１光吸収部材ＢＣ１及び第２光吸収部材ＢＣ２は光の透過又は光の反射を防止するためのものであって、黒色カラーを有することができる。第１光吸収部材ＢＣ１及び第２光吸収部材ＢＣ２は、色相が黒色であってもよい。
【０１１６】
本発明の一実施形態で、第１光吸収部材ＢＣ１及び第２光吸収部材ＢＣ２の各々は第１ベース支持部材ＢＰ１及び第２ベース支持部材ＢＰ２の各々にコーティングされる。
【０１１７】
第１光吸収部材ＢＣ１は第１ベース支持部材ＢＰ１の上部面Ｓ−Ｔ、下部面Ｓ−Ｂ、及び側面Ｓ−Ｓの全てに配置される。第２光吸収部材ＢＣ２は第２ベース支持部材ＢＰ２の上部面Ｓ−Ｔ、下部面Ｓ−Ｂ、及び側面Ｓ−Ｓの全てに配置される。
【０１１８】
図１０Ｂを参照すれば、第１支持部材ＰＴ１−１は第１ベース支持部材ＢＰ１及び第１ベース支持部材ＢＰ１の外面に配置される第１光吸収部材ＢＣ１−１を含む。第２支持部材ＰＴ２−１は第２ベース支持部材ＢＰ２及び第２ベース支持部材ＢＰ２の外面に配置される第２光吸収部材ＢＣ２−１を含む。
【０１１９】
第１光吸収部材ＢＣ１−１は第１ベース支持部材ＢＰ１の上部面Ｓ−Ｔ及び側面Ｓ−Ｓの中で少なくとも一部分に配置され、下部面Ｓ−Ｂには配置されない。第２光吸収部材ＢＣ２−１は第２ベース支持部材ＢＰ２の上部面Ｓ−Ｔ及び側面Ｓ−Ｓの中で少なくとも一部分に配置され、下部面Ｓ−Ｂには配置されない。
【０１２０】
その他、図１０Ｂに対する他の説明は図１０Ａで説明した内容と同様であり、ここでの説明を省略する。
【０１２１】
図１０Ｃを参照すれば、第１支持部材ＰＴ１−２は第１ベース支持部材ＢＰ１及び第１ベース支持部材ＢＰ１の外面に配置される第１光吸収部材ＢＣ１−２を含む。第２支持部材ＰＴ２−２は第２ベース支持部材ＢＰ２及び第２ベース支持部材ＢＰ２の外面に配置される第２光吸収部材ＢＣ２−２を含む。
【０１２２】
第１光吸収部材ＢＣ１−２は第１ベース支持部材ＢＰ１の上部面Ｓ−Ｔに配置され、下部面Ｓ−Ｂ及び側面Ｓ−Ｓには配置されない。第２光吸収部材ＢＣ２−２は第２ベース支持部材ＢＰ２の上部面Ｓ−Ｔに配置され、下部面Ｓ−Ｂ及び側面Ｓ−Ｓには配置されない。
【０１２３】
本発明の一実施形態で、第１光吸収部材ＢＣ１、ＢＣ１−１、ＢＣ１−２及び第２光吸収部材ＢＣ２、ＢＣ２−１、ＢＣ２−２は上部面Ｓ−Ｔの全体に配置されることが望ましい。なぜならば、第１ベース支持部材ＢＰ１の上部面Ｓ−Ｔ及び第２ベース支持部材ＢＰ２の上部面Ｓ−Ｔの中で第１光吸収部材ＢＣ１、ＢＣ１−１、ＢＣ１−２又は第２光吸収部材ＢＣ２、ＢＣ２−１、ＢＣ２−２が配置されない部分があると、透過された光、屈折された光、反射された光等が吸収されないため、その部分に重畳する表示領域ＤＡは、それらの光に曝されることになり、その結果、その部分に重畳する表示領域ＤＡは他の部分と表示品質が変わる不良が発生する可能性があるためである。
【０１２４】
図９Ａ、図９Ｂ、図１０Ａ、図１０Ｂ、及び図１０Ｃを参照すれば、透過された光、屈折された光、反射された光等が吸収されない場合、表示領域ＤＡは、第１支持部材ＰＴ１及び第２支持部材ＰＴ２の間の離隔距離ＤＴを通ったそれらの光に曝されることになり、表示領域ＤＡの中でベンディング軸ＢＸに対応する部分の表示品質が他の部分の表示品質と異なる問題点が発生する可能性がある。
【０１２５】
したがって、図１０Ａ乃至図１０Ｃに図示されたように第１光吸収部材ＢＣ１、ＢＣ１−１、ＢＣ１−２及び第２光吸収部材ＢＣ２、ＢＣ２−１、ＢＣ２−２を第１ベース支持部材ＢＰ１及び第２ベース支持部材ＢＰ２の外面に配置する場合、第１光吸収部材ＢＣ１、ＢＣ１−１、ＢＣ１−２及び第２光吸収部材ＢＣ２、ＢＣ２−１、ＢＣ２−２が光が屈折されるか、透過されるか、或いは反射されることを抑制して、表示領域ＤＡの表示品質を全体的に均一にすることができる。
【０１２６】
図１１Ａ、図１１Ｂ、及び図１１Ｃの各々は図９ＡのＡＡ部分の変形実施形態ＡＡ−１、ＡＡ−２、ＡＡ−３を例示的に示した図面である。
【０１２７】
図１１Ａを参照すれば、第１ベース支持部材ＢＰ１−１は第１本体部ＢＰ１ａ及び第１本体部ＢＰ１ａから延長される第１突出部ＢＰ１ｂを含む。第２ベース支持部材ＢＰ２−１は第２本体部ＢＰ２ａ及び第２本体部ＢＰ２ａから延長される第２突出部ＢＰ２ｂを含む。
【０１２８】
図１１Ｂを参照すれば、第１ベース支持部材ＢＰ１−２は第１本体部ＢＰ１ａ及び第１本体部ＢＰ１ａから延長される第１突出部ＢＰ１ｂ−１を含む。第２ベース支持部材ＢＰ２−２は第２本体部ＢＰ２ａ及び第２本体部ＢＰ２ａから延長される第２突出部ＢＰ２ｂ−１を含む。
【０１２９】
図１１Ｃを参照すれば、第１ベース支持部材ＢＰ１−３は第１本体部ＢＰ１ａ及び第１本体部ＢＰ１ａから延長される第１突出部ＢＰ１ｂ−２を含む。第２ベース支持部材ＢＰ２−３は第２本体部ＢＰ２ａ及び第２本体部ＢＰ２ａから延長される第２突出部ＢＰ２ｂ−２を含む。
【０１３０】
第１突出部ＢＰ１ｂ、ＢＰ１ｂ−１、ＢＰ１ｂ−２を第３方向ＤＲ３上で測定した長さは第１本体部ＢＰ１ａを第３方向ＤＲ３上で測定した長さより小さい。第２突出部ＢＰ２ｂ、ＢＰ２ｂ−１、ＢＰ２ｂ−２を第３方向ＤＲ３上で測定した長さは第２本体部ＢＰ２ａを第３方向ＤＲ３上で測定した長さより小さい。
【０１３１】
第１突出部ＢＰ１ｂ、ＢＰ１ｂ−１、ＢＰ１ｂ−２及び第２突出部ＢＰ２ｂ、ＢＰ２ｂ−１、ＢＰ２ｂ−２は第３方向ＤＲ３上で互いに重畳する。第１突出部ＢＰ１ｂ、ＢＰ１ｂ−１、ＢＰ１ｂ−２及び第２突出部ＢＰ２ｂ、ＢＰ２ｂ−１、ＢＰ２ｂ−２が互いに重畳するため、第３方向ＤＲ３上で光が透過されるか、或いは反射されることをさらに効果的に抑制することができる。
【０１３２】
図１１Ｂ及び図１１Ｃを参照すれば、第１突出部ＢＰ１ｂ−１、ＢＰ１ｂ−２及び第２突出部ＢＰ２ｂ−１、ＢＰ２ｂ−２を第３方向ＤＲ３上で測定した長さは段々短くなるか、或いは段々長くなることができる。例えば、第１突出部ＢＰ１ｂ−１及び第２突出部ＢＰ２ｂ−１の各々の断面の形状は図１１Ｂに図示されたように台形である。又は第１突出部ＢＰ１ｂ−２及び第２突出部ＢＰ２ｂ−２の各々の断面の形状は図１１Ｃに図示されたように三角形である。
【０１３３】
図１２は図１のＩ−Ｉ’に沿って切断した断面の一部を示した図面である。図１２では図９Ａに図示された形状に対してセット部材ＳＴが追加的に図示されたものである。セット部材ＳＴは図１に図示されたハウジングＨＳの一部分である。
【０１３４】
本発明の他の実施形態で図１２に図示された構成要素の中で第６接着部材ＡＤ６及び支持部材ＰＴは省略されることができる。
【０１３５】
セット部材ＳＴは第１セット部材ＳＴ１及び第２セット部材ＳＴ２を含む。第１セット部材ＳＴ１は第３方向ＤＲ３上で第１表示領域ＤＡ１に重畳し、第２セット部材ＳＴ２は第３方向ＤＲ３上で第２表示領域ＤＡ２に重畳する。
【０１３６】
図１３Ａ、図１３Ｂ、及び図１３Ｃは各々本発明の一実施形態に係るセット部材ＳＴ、ＳＴ−１、ＳＴ１−２を例示的に示した図面である。
【０１３７】
図１３Ａを参照すれば、第１セット部材ＳＴ１は第１ベースセット部材ＢＳ１及び第１ベースセット部材ＢＳ１の外面に配置される第１光吸収部材ＢＣ１０を含む。第２セット部材ＳＴ２は第２ベースセット部材ＢＳ２及び第２ベースセット部材ＢＳ２の外面に配置される第２光吸収部材ＢＣ２０を含む。
【０１３８】
第１ベースセット部材ＢＳ１及び第２ベースセット部材ＢＳ２の各々は金属を含むことができる。但し、これに制限されることはなく、本発明の一実施形態で、第１ベースセット部材ＢＳ１及び第２ベースセット部材ＢＳ２の各々は合成樹脂を含むことができる。
【０１３９】
第１ベースセット部材ＢＳ１及び第２ベースセット部材ＢＳ２の各々はリジッド（ｒｉｇｉｄ）な性質を有することができる。
【０１４０】
第１ベースセット部材ＢＳ１及び第２ベースセット部材ＢＳ２の各々は上部面ＳＳ−Ｔ、上部面ＳＳ−Ｔに対向する下部面ＳＳ−Ｂ、及び上部面ＳＳ−Ｔと下部面ＳＳ−Ｂを接続する側面ＳＳ−Ｓを含む。
【０１４１】
第１光吸収部材ＢＣ１０及び第２光吸収部材ＢＣ２０は光の透過又は光の反射を防止するためのものであって、黒色カラーを有する。第１光吸収部材ＢＣ１０及び第２光吸収部材ＢＣ２０は、色相が黒色であってもよい。
【０１４２】
本発明の一実施形態で、第１光吸収部材ＢＣ１０及び第２光吸収部材ＢＣ２０の各々は第１ベースセット部材ＢＳ１及び第２ベースセット部材ＢＳ２の各々にコーティングされることができる。
【０１４３】
第１光吸収部材ＢＣ１０は第１ベースセット部材ＢＳ１の上部面ＳＳ−Ｔ、下部面ＳＳ−Ｂ、及び側面ＳＳ−Ｓの全てに配置される。第２光吸収部材ＢＣ２０は第２ベースセット部材ＢＳ２の上部面ＳＳ−Ｔ、下部面ＳＳ−Ｂ、及び側面ＳＳ−Ｓの全てに配置される。
【０１４４】
図１３Ｂを参照すると、第１セット部材ＳＴ１−１は第１ベースセット部材ＢＳ１及び第１ベースセット部材ＢＳ１の外面に配置される第１光吸収部材ＢＣ１１を含む。第２セット部材ＳＴ２−１は第２ベースセット部材ＢＳ２及び第２ベースセット部材ＢＳ２の外面に配置される第２光吸収部材ＢＣ２１を含む。
【０１４５】
第１光吸収部材ＢＣ１１は第１ベースセット部材ＢＳ１の上部面ＳＳ−Ｔ及び側面ＳＳ−Ｓの中で少なくとも一部分に配置され、下部面ＳＳ−Ｂには配置されない。第２光吸収部材ＢＣ２１は第２ベースセット部材ＢＳ２の上部面ＳＳ−Ｔ及び側面ＳＳ−Ｓの中で少なくとも一部分に配置され、下部面ＳＳ−Ｂには配置されない。
【０１４６】
その他、図１３Ｂに対する他の説明は図１３Ａで説明した内容と同様であり、ここでの説明を省略する。
【０１４７】
図１３Ｃを参照すれば、第１セット部材ＳＴ１−２は第１ベースセット部材ＢＳ１及び第１ベースセット部材ＢＳ１の外面に配置される第１光吸収部材ＢＣ１２を含む。第２セット部材ＳＴ２−２は第２ベースセット部材ＢＳ２及び第２ベースセット部材ＢＳ２の外面に配置される第２光吸収部材ＢＣ２２を含む。
【０１４８】
第１光吸収部材ＢＣ１２は第１ベースセット部材ＢＳ１の上部面ＳＳ−Ｔに配置され、下部面ＳＳ−Ｂ及び側面ＳＳ−Ｓには配置されない。第２光吸収部材ＢＣ２２は第２ベースセット部材ＢＳ２の上部面ＳＳ−Ｔに配置され、下部面ＳＳ−Ｂ及び側面ＳＳ−Ｓには配置されない。
【０１４９】
本発明の一実施形態で、第１光吸収部材ＢＣ１０、ＢＣ１１、ＢＣ１２及び第２光吸収部材ＢＣ２０、ＢＣ２１、ＢＣ２２は上部面ＳＳ−Ｔの全体に配置されることが望ましい。なぜならば、第１ベースセット部材ＢＳ１の上部面ＳＳ−Ｔ及び第２ベースセット部材ＢＳ２の上部面ＳＳ−Ｔの中で第１光吸収部材ＢＣ１０、ＢＣ１１、ＢＣ１２又は第２光吸収部材ＢＣ２０、ＢＣ２１、ＢＣ２２が配置されない部分があると、それ部分は他の部分と表示品質が変わる不良が発生する可能性があるためである。
【０１５０】
即ち、図１３Ａ乃至図１３Ｃで説明した第１光吸収部材ＢＣ１０、ＢＣ１１、ＢＣ１２及び第２光吸収部材ＢＣ２０、ＢＣ２１、ＢＣ２２による効果は図１０Ａ乃至図１０Ｃで説明した第１光吸収部材ＢＣ１、ＢＣ１−１、ＢＣ１−２及び第２光吸収部材ＢＣ２、ＢＣ２−１、ＢＣ２−２による効果と同様である。
【０１５１】
図１４Ａ、図１４Ｂ、及び図１４Ｃの各々は図１２のＢＢ部分の変形実施形態ＢＢ−１、ＢＢ−２、ＢＢ−３を例示的に示した図面である。
【０１５２】
図１４Ａを参照すれば、第１ベースセット部材ＢＳ１−１は第１セット本体部ＢＳ１ａ及び第１セット本体部ＢＳ１ａから延長される第１セット突出部ＢＳ１ｂを含む。第２ベースセット部材ＢＳ２−１は第２セット本体部ＢＳ２ａ及び第２セット本体部ＢＳ２ａから延長される第２セット突出部ＢＳ２ｂを含む。
【０１５３】
図１４Ｂを参照すれば、第１ベースセット部材ＢＳ１−２は第１セット本体部ＢＳ１ａ及び第１セット本体部ＢＳ１ａから延長される第１セット突出部ＢＳ１ｂ−１を含む。第２ベースセット部材ＢＳ２−２は第２セット本体部ＢＳ２ａ及び第２セット本体部ＢＳ２ａから延長される第２セット突出部ＢＳ２ｂ−１を含む。
【０１５４】
図１４Ｃを参照すれば、第１ベースセット部材ＢＳ１−３は第１セット本体部ＢＳ１ａ及び第１セット本体部ＢＳ１ａから延長される第１セット突出部ＢＳ１ｂ−２を含む。第２ベースセット部材ＢＳ２−３は第２セット本体部ＢＳ２ａ及び第２セット本体部ＢＳ２ａから延長される第２セット突出部ＢＳ２ｂ−２を含む。
【０１５５】
第１セット突出部ＢＳ１ｂ、ＢＳ１ｂ−１、ＢＳ１ｂ−２を第３方向ＤＲ３上で測定した長さは第１セット本体部ＢＳ１ａを第３方向ＤＲ３上で測定した長さより小さい。第２セット突出部ＢＳ２ｂ、ＢＳ２ｂ−１、ＢＳ２ｂ−２を第３方向ＤＲ３上で測定した長さは第２セット本体部ＢＳ２ａを第３方向ＤＲ３上で測定した長さより小さい。
【０１５６】
第１セット突出部ＢＳ１ｂ、ＢＳ１ｂ−１、ＢＳ１ｂ−２及び第２セット突出部ＢＳ２ｂ、ＢＳ２ｂ−１、ＢＳ２ｂ−２は第３方向ＤＲ３上で互いに重畳する。第１セット突出部ＢＳ１ｂ、ＢＳ１ｂ−１、ＢＳ１ｂ−２及び第２セット突出部ＢＳ２ｂ、ＢＳ２ｂ−１、ＢＳ２ｂ−２が互いに重畳するため、第３方向ＤＲ３上で光が透過されるか、或いは反射されることをさらに効果的に抑制することができる。
【０１５７】
図１４Ｂ及び図１４Ｃを参照すれば、第１セット突出部ＢＳ１ｂ−１、ＢＳ１ｂ−２及び第２セット突出部ＢＳ２ｂ−１、ＢＳ２ｂ−２を第３方向ＤＲ３上で測定した長さは段々短くなるか、或いは段々長くなることができる。例えば、第１セット突出部ＢＳ１ｂ−１及び第２セット突出部ＢＳ２ｂ−１の各々の断面の形状は図１４Ｂに図示されたように台形である。又は第１セット突出部ＢＳ１ｂ−２及び第２セット突出部ＢＳ２ｂ−２の各々の断面の形状は図１４Ｃに図示されたように三角形である。
【０１５８】
図１５Ａ、図１５Ｂ、及び図１５Ｃは各々本発明の一実施形態に係る支持部材ＰＴ−３、ＰＴ−４、ＰＴ−５を例示的に示した図面である。
【０１５９】
図１５Ａを参照すれば、支持部材ＰＴ−３は第１支持部材ＰＴ１−３及び第２支持部材ＰＴ２−３を含む。
【０１６０】
第１支持部材ＰＴ１−３は第１ベース支持部材ＢＰ１及び第１ベース支持部材ＢＰ１の外面に配置される第１乱反射部材ＲＣ１を含む。第２支持部材ＰＴ２−３は第２ベース支持部材ＢＰ２及び第２ベース支持部材ＢＰ２の外面に配置される第２乱反射部材ＲＣ２を含む。
【０１６１】
第１乱反射部材ＲＣ１及び第２乱反射部材ＲＣ２は入射される光を多様な方向に反射させて、いずれか一方に集中的に反射されることを防止することができる。即ち、第１乱反射部材ＲＣ１及び第２乱反射部材ＲＣ２は入射される光を乱反射させることができる。
【０１６２】
本発明の一実施形態で、第１乱反射部材ＲＣ１及び第２乱反射部材ＲＣ２の各々は第１ベース支持部材ＢＰ１及び第２ベース支持部材ＢＰ２の各々にコーティングされることができる。
【０１６３】
このように、第１ベース支持部材ＢＰ１及び第２ベース支持部材ＢＰ２に第１乱反射部材ＲＣ１及び第２乱反射部材ＲＣ２をコーティングすることによって、第１ベース支持部材ＢＰ１及び第２ベース支持部材ＢＰ２の間の境界部分が視認されないようにすることができる。
【０１６４】
第１乱反射部材ＲＣ１は第１ベース支持部材ＢＰ１の上部面Ｓ−Ｔ、下部面Ｓ−Ｂ、及び側面Ｓ−Ｓの全てに配置される。第２乱反射部材ＲＣ２は第２ベース支持部材ＢＰ２の上部面Ｓ−Ｔ、下部面Ｓ−Ｂ、及び側面Ｓ−Ｓの全てに配置される。
【０１６５】
図１５Ｂを参照すれば、支持部材ＰＴ−４は第１支持部材ＰＴ１−４及び第２支持部材ＰＴ２−４を含む。
【０１６６】
第１支持部材ＰＴ１−４は第１ベース支持部材ＢＰ１及び第１ベース支持部材ＢＰ１の外面に配置される第１乱反射部材ＲＣ１−１を含む。第２支持部材ＰＴ２−４は第２ベース支持部材ＢＰ２及び第２ベース支持部材ＢＰ２の外面に配置される第２乱反射部材ＲＣ２−１を含む。
【０１６７】
第１乱反射部材ＲＣ１−１は第１ベース支持部材ＢＰ１の上部面Ｓ−Ｔ及び側面Ｓ−Ｓの中で少なくとも一部分に配置され、下部面Ｓ−Ｂには配置されない。第２乱反射部材ＲＣ２−１は第２ベース支持部材ＢＰ２の上部面Ｓ−Ｔ及び側面Ｓ−Ｓの中で少なくとも一部分に配置され、下部面Ｓ−Ｂには配置されない。
【０１６８】
その他、図１５Ｂに対する他の説明は図１５Ａで説明した内容と同様であり、ここでの説明を省略する。
【０１６９】
図１５Ｃを参照すれば、支持部材ＰＴ−５は第１支持部材ＰＴ１−５及び第２支持部材ＰＴ２−５を含む。
【０１７０】
第１支持部材ＰＴ１−５は第１ベース支持部材ＢＰ１及び第１ベース支持部材ＢＰ１の外面に配置される第１乱反射部材ＲＣ１−２を含む。第２支持部材ＰＴ２−５は第２ベース支持部材ＢＰ２及び第２ベース支持部材ＢＰ２の外面に配置される第２乱反射部材ＲＣ２−２を含む。
【０１７１】
第１乱反射部材ＲＣ１−２は第１ベース支持部材ＢＰ１の上部面Ｓ−Ｔに配置され、下部面Ｓ−Ｂ及び側面Ｓ−Ｓには配置されない。第２乱反射部材ＲＣ２−２は第２ベース支持部材ＢＰ２の上部面Ｓ−Ｔに配置され、下部面Ｓ−Ｂ及び側面Ｓ−Ｓには配置されない。
【０１７２】
その他、図１５Ｃに対する他の説明は図１５Ａで説明した内容と同様であり、ここでの説明を省略する。
【０１７３】
図１５Ａ乃至図１５Ｃでは図１０Ａ乃至図１０Ｃの光吸収部材が乱反射部材に代替される実施形態に対して図示した。しかし、本発明の一実施形態に係る構成は、この構成に限定されない。例えば、図１１乃至図１４Ｃの光吸収部材も乱反射部材に代替されることができる。
【０１７４】
本発明を様々な実施形態を参照して説明したが、該当技術分野の当業者は下記の特許請求の範囲に記載された本発明の思想及び領域から逸脱しない範囲内で本発明を多様に修正及び変更させることができることを理解するべきである。また、本発明に係る実施形態は本発明の技術思想を限定するためのものではなく、下記の特許請求の範囲及びそれと同等な範囲内にあるすべての技術思想は本発明の権利範囲に含まれることと解釈されなければならない。
【符号の説明】
【０１７５】
ＤＤ   表示装置
ＤＭ   表示モジュール
ＤＰ   表示パネル
ＩＳＣ 入力感知回路
ＰＸ   画素
ＰＴ   支持部材      
ＳＴ   セット部材
【図１】
2020038372.tif 000003
【図２Ａ】
2020038372.tif 000004
【図２Ｂ】
2020038372.tif 000005
【図２Ｃ】
2020038372.tif 000006
【図２Ｄ】
2020038372.tif 000007
【図２Ｅ】
2020038372.tif 000008
【図３】
2020038372.tif 000009
【図４Ａ】
2020038372.tif 000010
【図４Ｂ】
2020038372.tif 000011
【図５】
2020038372.tif 000012
【図６】
2020038372.tif 000013
【図７】
2020038372.tif 000014
【図８】
2020038372.tif 000015
【図９Ａ】
2020038372.tif 000016
【図９Ｂ】
2020038372.tif 000017
【図１０Ａ】
2020038372.tif 000018
【図１０Ｂ】
2020038372.tif 000019
【図１０Ｃ】
2020038372.tif 000020
【図１１Ａ】
2020038372.tif 000021
【図１１Ｂ】
2020038372.tif 000022
【図１１Ｃ】
2020038372.tif 000023
【図１２】
2020038372.tif 000024
【図１３Ａ】
2020038372.tif 000025
【図１３Ｂ】
2020038372.tif 000026
【図１３Ｃ】
2020038372.tif 000027
【図１４Ａ】
2020038372.tif 000028
【図１４Ｂ】
2020038372.tif 000029
【図１４Ｃ】
2020038372.tif 000030
【図１５Ａ】
2020038372.tif 000031
【図１５Ｂ】
2020038372.tif 000032
【図１５Ｃ】
2020038372.tif 000033